(57)【特許請求の範囲】
【請求項１】
コンクリート型枠の堰板に対接される一端と縮径平坦軸部とを有する締付用ねじ杆と、押え座金と、この座金を介して堰板に対しばたを押圧するため上記締付用ねじ杆の他端部に螺合した締付ナットと、上記締付用ねじ杆に嵌合される締過ぎ防止用堰板受け具とより成り、上記締過ぎ防止用堰板受け具が、上記堰板に対接される一端面と上記ばたに対接される他端面とを有する上記締付用ねじ杆に嵌合される中心孔を有する筒状部と、この筒状部と一体の座片とより成り、上記筒状部と座片の接続部側面に、上記締付用ねじ杆を上記中心孔内に挿入するための開口と、クランク通路が形成され、上記締付用ねじ杆の縮径平坦軸部のみを通過する大きさにその通路断面を狭めるための突出部分が上記クランク通路に形成されていることを特徴とするコンクリート型枠締付金具。
【発明の詳細な説明】
【技術分野】
【０００１】
本発明はコンクリート型枠締付金具に関するものである。
【背景技術】
【０００２】
従来のこの種のコンクリート型枠締付金具としては、特許文献１に記載された考案がある。
【特許文献１】実開平４−７５０５１号公報（第５図）。
【０００３】
図５は上記従来のコンクリート型枠締付金具を示し、１はベニヤ板等の堰板、２は堰板１に対接した丸パイプ状の縦ばた、３はこの縦ばた２に対接した丸パイプ状の横ばた、４はこの横ばた３に対接される押え座金、５は、上記縦ばた２、横ばた３、押え座金４を通して延びる締付用ねじ杆、６は上記ねじ杆５の一端に固定した鍔、７はこのねじ杆５に嵌合した、上記ねじ杆５の鍔６の内面にその一端が対接される堰板受け具の筒状部、８はこの筒状部７の他端部両側に一体に突出せしめた、その一面が上記横ばた３に対接される座片、９は上記縦ばた２及び横ばた３を上記押え座金４を介して上記堰板１に押圧するよう締付用ねじ杆５に螺合したナット、１０は上記堰板１の外面に上記ねじ杆５の鍔６の外面を固定するよう上記ねじ杆５の一端に、堰板１の内面側より螺合した堰板用ねじ杆、１１は上記堰板１の内面に接するよう上記ねじ杆１０に固定したストッパー、１２は互いに対向する堰板１，１間に打設されたコンクリート壁である。
【０００４】
このような従来のコンクリート型枠締付金具においては、締付用ねじ杆５に螺合したナット９を締め付ければ押え座金４を介して横ばた３と縦ばた２が堰板１に押し付けられ、このとき座片８、筒状部７及び鍔６が横ばた３と堰板１間の間隔片として機能し、ナット９を強く締め付けても堰板１が外側へ膨出変形するのが防止され、常に堰板１を平坦に保ってコンクリート壁１２を正確に形成し得るようになっている。
【発明の開示】
【発明が解決しようとする課題】
【０００５】
然しながら、上記従来のコンクリート型枠締付金具においては堰板１の膨出変形を阻止するのは堰板１に対接される鍔６のみであり、この鍔６の面積が小さいため締付過ぎの場合堰板１の変形を完全に防ぐことはできないことが確認された。
【０００６】
また、一般に上記締付用ねじ杆５の、鍔６と反対側の端部はナット９の抜け止めのためねじ山をつぶしているため一旦組み立てた後は締付用ねじ杆５から筒状部７と座片８とより成る堰板受け具を離脱することができず、締付用ねじ杆５が腐食その他によって破損した場合にはこれらを一体に廃棄せざるを得ず、コスト高となる欠点があった。
【０００７】
本発明はこのような欠点を除くようにしたものである。
【課題を解決するための手段】
【０００８】
本発明のコンクリート型枠締付金具は、コンクリート型枠の堰板に対接される一端と縮径平坦軸部とを有する締付用ねじ杆と、押え座金と、この座金を介して堰板に対しばたを押圧するため上記締付用ねじ杆の他端部に螺合した締付ナットと、上記締付用ねじ杆に嵌合される締過ぎ防止用堰板受け具とより成り、上記締過ぎ防止用堰板受け具が、上記堰板に対接される一端面と上記ばたに対接される他端面とを有する上記締付用ねじ杆に嵌合される中心孔を有する筒状部と、この筒状部と一体の座片とより成り、上記筒状部と座片の接続部側面に、上記締付用ねじ杆を上記中心孔内に挿入するための開口と、クランク通路が形成され、上記締付用ねじ杆の縮径平坦軸部のみを通過する大きさにその通路断面を狭めるための突出部分が上記クランク通路に形成されていることを特徴とする。
【発明の効果】
【０００９】
本発明のコンクリート型枠締付金具及び締過ぎ防止用堰板受け具によれば、ナット９を締め過ぎても、堰板１は締付用ねじ杆５の鍔６の面のみならず、座片１３の端面全体によって保持されその変形が完全に防止されるようになる。
【００１０】
また、上記筒状部７と座片８とより成る堰板受け具を従来のコンクリート型枠締付用ねじ杆５に対し簡単に着脱自在としたので、設計通りの寸法を確保できると共に、その修理交換が極めて容易となり、コストを低下することができる。
【発明を実施するための最良の形態】
【００１１】
以下図面によって本発明の実施例を説明する。
【実施例１】
【００１２】
本発明の実施例１においては図１〜図３に示すように堰板受け具の筒状部７に一体に、上記堰板１に接する一端面と、上記横ばた３に対接される他端面とを有する座片１３を形成する。
【００１３】
また堰板受け具の筒状部７とこれに一体の座片１３の接続部側面に締付用ねじ杆５を挿入する大きさの開口１７を形成し、上記堰板受け具の筒状部７の中心孔１８と上記開口１７間をクランク通路１９によって連通し、このクランク通路１９の一部には通路断面を狭めるための突出部分２０を形成し、この狭まった通路を通過できるよう図４に示すように締付用ねじ杆５の対向する両側部分に縮径平坦部２１を形成する。
【００１４】
なお、２２は上記鍔６が嵌合するよう堰板受け具の筒状部７の端面に形成した溝である。
【００１５】
本発明のこの実施例によれば、締付用ねじ杆５を上記開口１７に挿入し、その向きを調節してその縮径平坦部２１が上記突出部分２０によって狭められたクランク通路１９を通過できるようにすることによって上記中心孔１８内に挿入することができ、この後締付用ねじ杆５を筒状部７に相対的に軸方向に移動せしめれば、中心孔１８から上記クランク通路１９を介して座片１３の側方外部にねじ杆５がみだりに抜け出ることがないようになる。
【産業上の利用可能性】
【００１６】
本発明のコンクリート型枠締付金具は上記のような構成であるから堰板の外側への引出、変形を防止し、常に堰板を平坦に保って型枠を堅固に締付けることができ、コンクリート壁を正確に形成し得るようになる。
【００１７】
また、締付用ねじ杆から筒状部と座片を有する堰板受け具を簡単に離脱することができるため、締付用ねじ杆が腐食その他によって破損した場合にはこれらを一体に廃棄する必要がなく、コストを低減できるようになる。
【図面の簡単な説明】
【００１８】
【図１】本発明のコンクリート型枠締付金具の縦断正面図である。
【図２】図１に示すコンクリート型枠締付金具に用いる締過ぎ防止用堰板受け具の正面図である。
【図３】図２に示す堰板受け具のＡ−Ａ線断面図である。
【図４】締付用ねじ杆の正面図である。
【図５】従来のコンクリート型枠締付金具の縦断正面図である。
【符号の説明】
【００１９】
１    堰板
２    縦ばた
３    横ばた
４    座金
５    ねじ杆
６    鍔
７    筒状部
８    座片
９    ナット
１０    堰板用ねじ杆
１１    ストッパー
１２    コンクリート壁
１３    座片
１７    開口
１８    中心孔
１９    クランク通路
２０    突出部分
２１    縮径平坦部
２２    溝
【図１】
0003864939.tif 000002
【図２】
0003864939.tif 000003
【図３】
0003864939.tif 000004
【図４】
0003864939.tif 000005
【図５】
0003864939.tif 000006